(57)【要約】【課題】耐火性の高い外壁等を形成可能な建築パネル、建築パネルユニット、建築パネルの取付構造を提供する。【解決手段】第１の態様に係る建築パネル１は、断熱性と耐火性とを有するパネル部１０と、火災の熱で膨張する膨張部２０とを備える。膨張部２０は、パネル部１０の端部１１を保持する保持部３０と、保持部３０に保持されている端部１１との間に配置されるように構成されている。膨張部２０が火災の熱で膨張し、保持部３０と端部１１との間の隙間を閉塞することができる。【選択図】図１
2020148051.tif 000002
【特許請求の範囲】
【請求項１】
断熱性と耐火性とを有するパネル部と、火災の熱で膨張する膨張部とを備える建築パネルであって、
前記膨張部は、前記パネル部の端部を保持する保持部と、前記保持部に保持されている前記端部との間に配置されるように構成されている
建築パネル。
【請求項２】
請求項１において、
前記膨張部は、前記パネル部の端面に沿って設けられている
建築パネル。
【請求項３】
請求項１又は２において
前記膨張部は、２００℃以上の温度で加熱されると２倍以上１５倍以下の体積に膨張する
建築パネル。
【請求項４】
耐火性を有するパネル部と、火災の熱で膨張する膨張部と、前記パネル部の端部を保持する保持部とを備える建築パネルユニットであって、
前記膨張部は、前記端部と前記保持部との間に配置されている
建築パネルユニット。
【請求項５】
請求項４において、
前記保持部は、前記端部の前面と対向する前部と、前記端部の後面と対向する後部と、前記パネル部の端面と対向する固定部とを備え、
前記膨張部は、前記端面と前記固定部との間に配置されている
建築パネルユニット。
【請求項６】
請求項４又は５において、
前記膨張部は、前記端部と前記保持部との少なくとも一方に設けられている
建築パネルユニット。
【請求項７】
耐火性を有するパネル部と、火災の熱で膨張する膨張部と、前記パネル部の端部を保持する保持部とを備える建築パネルの取付構造であって、
前記膨張部は、前記端部と前記保持部との間に配置され、
前記保持部は、建物の下地部に固定されている
建築パネルの取付構造。
【発明の詳細な説明】
【技術分野】
【０００１】
本発明は、建築パネル、建築パネルユニット、建築パネルの取付構造に関し、より詳細には、耐火パネル部と膨張部とを備える建築パネル、建築パネルユニット、建築パネルの取付構造に関する。
【背景技術】
【０００２】
特許文献１には、耐火パネルを用いたカーテンウォールが記載されている。耐火パネルはサンドイッチパネルであって、二枚の金属外皮の間に芯材を設けて形成されている。そして、各金属外皮は火災では燃焼せず、芯材も耐火性のものを使用しているため、耐火性の高いカーテンウォールが形成される。
【先行技術文献】
【特許文献】
【０００３】
【特許文献１】特開２０１８−８７４２４号公報
【発明の概要】
【発明が解決しようとする課題】
【０００４】
しかし、特許文献１のようなカーテンウォールにおいては、更に、耐火性の向上が望まれていた。
【０００５】
本発明は、上記事由に鑑みてなされており、耐火性の高い外壁等を形成可能な建築パネル、建築パネルユニット、建築パネルの取付構造を提供することを目的とする。
【課題を解決するための手段】
【０００６】
本発明の一態様に係る建築パネルは、断熱性と耐火性を有するパネル部と、火災の熱で膨張する膨張部とを備える。前記膨張部は、前記パネル部の端部を保持する保持部と、前記保持部に保持されている前記端部との間に配置されるように構成されている。
【０００７】
本発明の一態様に係る建築パネルユニットは、耐火性を有するパネル部と、火災の熱で膨張する膨張部と、前記パネル部の端部を保持する保持部とを備える。前記膨張部は、前記端部と前記保持部との間に配置されている。
【０００８】
本発明の一態様に係る建築パネルの取付構造は、耐火性を有するパネル部と、火災の熱で膨張する膨張部と、前記パネル部の端部を保持する保持部とを備える。前記膨張部は、前記端部と前記保持部との間に配置され、前記保持部は、建物の下地部に固定されている。
【発明の効果】
【０００９】
本発明によれば、耐火性の高い外壁等を形成可能である。
【図面の簡単な説明】
【００１０】
【図１】図１は、実施形態に係る建築パネルユニットを示し、一部が破断した側面図である。
【図２】図２は、実施形態に係る建築パネルユニットを示し、一部が破断した平面図である。
【図３】図３は、実施形態で使用するパネル部を示す斜視図である。
【図４】図４は、実施形態で使用するパネル部を示す図３における平面（Ｘ−Ｘ）断面図である。
【図５】図５は、実施形態で使用するパネル部を示す図３における側面（Ｙ−Ｙ）断面図である。
【図６】図６は、実施形態で係る建築パネルを示す斜視図である。
【図７】図７Ａは、実施形態で使用する保持部を示す斜視図である。図７Ｂは、保持部の変形例を示す斜視図である。図７Ｃは、保持部の他の変形例を示す斜視図である。
【図８】図８Ａは、カーテンウォールが設置された建物の一例を示す正面図である。図８Ｂは、カーテンウォールが設置された建物の一例を示す断面図である。
【図９】図９は、実施形態に係る建築パネルの取付構造を示す側面断面図である。
【図１０】図１０Ａは、図９におけるＬ部分を示す拡大断面図である。図１０Ｂは、図９におけるＭ部分を示す拡大断面図である。
【図１１】図１１は、実施形態に係る建築パネルの取付構造を示す平面断面図である。
【図１２】図１２は、図１１におけるＮ部分を示す拡大断面図である。
【図１３】図１３は、実施形態に係る建築パネルユニットの変形例を示す斜視図である。
【図１４】図１４Ａは、実施形態に係る建築パネルユニットの変形例に使用する下段パネル部を示す断面図である。図１４Ｂは、実施形態に係る建築パネルユニットの変形例に使用する中段パネル部を示す断面図である。図１４Ｃは、実施形態に係る建築パネルユニットの変形例に使用する上段パネル部を示す断面図である。
【図１５】図１５は、実施形態に係る建築パネルユニットの変形例の取付構造を示す平面断面図である。
【図１６】図１６Ａは、パネル部の変形例を示す断面図である。図１６Ｂは、パネル部の他の変形例を示す断面図である。
【発明を実施するための形態】
【００１１】
（実施形態）
図１及び図２は、本実施形態に係る建築パネルユニット１００を示している。建築パネルユニット１００は建築パネル１と保持部３０とを備えている。建築パネル１はパネル部１０と膨張部２０とを備えている。
【００１２】
（パネル部）
パネル部１０は断熱性と耐火性とを有する。図３、図４及び図５のように、パネル部１０は、正面視において矩形状をなし、全体として板状をなしている。パネル部１０は、第一金属外皮１７と、第二金属外皮１８と、第一金属外皮１７と第二金属外皮１８の間に位置する芯材１９とを有するサンドイッチパネル６０である。第二金属外皮１８は、第一金属外皮１７の屋内側に位置する。
【００１３】
第一金属外皮１７及び第二金属外皮１８は、金属板をロール成形などで加工することによって形成される。金属板としては、亜鉛めっき鋼板、ガルバリウム鋼板（登録商標）、エスジーエル(登録商標)鋼板、塗装鋼板などが用いられる。第一金属外皮１７及び第二金属外皮１８の板厚は、例えば、０．３〜１．５ｍｍである。
【００１４】
芯材１９は、断熱材１９０と耐火材１９１の組み合わせで構成される。断熱材１９０は、ロックウール、グラスウールなどの繊維状無機材をバインダーなどで固めて形成したブロック体を、複数並べて、全体形状が板状となるように配置したものである。耐火材１９１は、断熱材１９０に比べて耐火性の高い部材であり、例えば、石膏ボード、珪酸カルシウムボードなどである。
【００１５】
耐火材１９１は、芯材１９の屋内側の部分を構成する第一耐火材１９２と、芯材１９の上端部を構成する第二耐火材１９３と、芯材１９の下端部を構成する第三耐火材１９４とを含む。断熱材１９０は、芯材１９の屋外側の部分を構成する。第一耐火材１９２の厚み（屋内外方向の長さ）は、芯材１９の厚み（屋内外方向の長さ）のおよそ三分の一であり、断熱材１９０の厚み（屋内外方向の長さ）は、芯材１９の厚み（屋内外方向の長さ）のおよそ三分の二である。芯材１９は、左右方向に亘って材質が一定である。すなわち、芯材１９は、左右方向に亘って、断熱材１９０と、第一耐火材１９２と、第二耐火材１９３と、第三耐火材１９４とを有する。
【００１６】
パネル部１０において、第一金属外皮１７は、屋内側に向けて開口した矩形の箱型である。詳しくは、芯材１９の屋外側の面に取り付けられる第一本体部１７０と、第一本体部１７０の上縁から屋内側に延びる第一上片部１７１と、第一本体部１７０の下縁から屋内側に延びる第一下片部１７２とを有する。第一金属外皮１７は、更に、第一本体部１７０の左右の縁のそれぞれから屋内側に延びる第一側片部１７４を有する。第一本体部１７０に対して、第一上片部１７１、第一下片部１７２、及び一対の第一側片部１７４のそれぞれは、略直角である。第一本体部１７０は、芯材１９の屋外側の面に接着されている。
【００１７】
パネル部１０において、第二金属外皮１８は、屋外側に向けて開口した矩形の箱型である。詳しくは、第二金属外皮１８は、芯材１９の屋内側の面に取り付けられる第二本体部１８０と、第二本体部１８０の上縁から屋外側に延びる第二上片部１８１と、第二本体部１８０の下縁から屋外側に延びる第二下片部１８２を有する。第二金属外皮１８は更に、第二本体部１８０の左右の縁のそれぞれから屋外側に延びる第二側片部１８３を有する。第二本体部１８０に対して、第二上片部１８１、第二下片部１８２、及び一対の第二側片部１８３のそれぞれは、略直角である。第二本体部１８０は、芯材１９の屋内側の面に接着されている。
【００１８】
第一上片部１７１と第二上片部１８１は、互いに離れて位置している。また、第一下片部１７２と第二下片部１８２は、互いに離れて位置している。また、第一側片部１７４と第二側片部１８３は、互いに離れて位置している。
【００１９】
第一金属外皮１７と第二金属外皮１８とは複数の連結板１５により連結されている。連結板１５は金属板を加工して形成されている。金属板としては、亜鉛めっき鋼板、ガルバリウム鋼板（登録商標）、エスジーエル(登録商標)鋼板、塗装鋼板などが用いられる。連結板１５の板厚は、例えば、０．８ｍｍである。連結板１５は、本実施形態では、円形であるが、その他の形状であってもよい。一部の連結板１５は、第一金属外皮１７の第一側片部１７４と、第二金属外皮１８の第二側片部１８３のそれぞれに、ねじなどの固定具１６で固定されている。他の一部の連結板１５は、第一金属外皮１７の第一上片部１７１と、第二金属外皮１８の第二上片部１８１のそれぞれに、ねじなどの固定具１６で固定されている。さらに他の一部の連結板１５は、第一金属外皮１７の第一下片部１７２と、第二金属外皮１８の第二下片部１８２のそれぞれに、ねじなどの固定具１６で固定されている。
【００２０】
（膨張部）
膨張部２０は火災の熱で膨張する。すなわち、膨張部２０は火災時に加熱されると、厚み方向に膨張して体積を増加させる。例えば、膨張部２０は、２００℃以上の温度で加熱されると、加熱前の体積よりも２倍以上１５倍以下の体積に膨張する。また加熱により膨張した膨張部２０は、膨張後の形態を維持し、更に、内部に多数の空隙を有して断熱性に優れる。
【００２１】
膨張部２０は、例えば、熱膨張性黒鉛などの熱膨張剤を含有するロックウールフェルト、あるいは積水化学工業株式会社製の「フィブロック」（登録商標）、等が使用される。
【００２２】
（建築パネル）
建築パネル１は、図６のように、パネル部１０の端面１２に沿って膨張部２０を設けることにより形成される。パネル部１０の端面１２は、上端面１２１と下端面１２２と一対の側端面１２３とを含むが、膨張部２０は、上端面１２１と下端面１２２と一対の側端面１２３の全てに沿って設けることができる。すなわち、膨張部２０はパネル部１０の全周に沿って設けることができる。また上端面１２１と下端面１２２と一対の側端面１２３のいずれか一つ以上に沿って膨張部２０を設けてもよい。膨張部２０は帯状又はテープ状に形成されており、粘着テープなどで端面１２に貼り付けることができる。膨張部２０は上面膨張部２１と下面膨張部２２と側面膨張部２３とを含む。
【００２３】
上面膨張部２１は上端面１２１に沿って位置する。上面膨張部２１は第一上片部１７１と第二上片部１８１との外面（芯材１９と反対側の面）に沿って設けられており、また第一上片部１７１と第二上片部１８１とを連結する連結板１５の外面に沿って設けられている。すなわち、上面膨張部２１は上端面１２１をほぼ全面にわたって覆っている。
【００２４】
下面膨張部２２は下端面１２２に沿って位置する。下面膨張部２２は第一下片部１７２と第二下片部１８２との外面（芯材１９と反対側の面）に沿って設けられており、また第一下片部１７２と第二下片部１８２とを連結する連結板１５の外面に沿って設けられている。すなわち、下面膨張部２２は下端面１２２をほぼ全面にわたって覆っている。
【００２５】
側面膨張部２３は各側端面１２３に沿って位置する。側面膨張部２３は第一側片部１７４と第二側片部１８３との外面（芯材１９と反対側の面）に沿って設けられており、また第一側片部１７４と第二側片部１８３とを連結する連結板１５の外面に沿って設けられている。すなわち、側面膨張部２３は側端面１２３をほぼ全面にわたって覆っている。
【００２６】
（建築パネルの取付構造）
建築パネル１は建物の下地部４０に取り付けられる。この場合、建築パネル１は保持部３０により下地部４０に取り付けられる。すなわち、建築パネル１の端部１１が保持部３０により保持されて下地部４０に取り付けられる。
【００２７】
保持部３０はアルミニウムなどの金属製の部材であって、断面コ字状で長尺に形成される。保持部３０は、図７Ａに示すように、前部３３と後部３４と固定部３２とを備える。固定部３２は矩形板状に形成される。固定部３２の長手方向に沿った一端には前部３３が全長にわたって設けられている。前部３３は板状に形成され、固定部３２に対してほぼ垂直な方向に突出している。固定部３２の長手方向に沿った他の一端には後部３４が全長にわたって設けられている。後部３４は板状に形成され、固定部３２に対してほぼ垂直な方向に突出している。前部３３と後部３４とは、固定部３２の短手方向の寸法（幅寸法）の間隔を介して対向している。後部３４の固定部３２からの突出長さは、前部３３の固定部３２からの突出長さよりも長い。固定部３２には建物の下地部４０に取り付けるための取付具１０１が設けられている。取付具１０１は固定部３２を厚み方向に貫通するビスなどで構成される。
【００２８】
保持部３０は、保持部本体３０１と押さえ板３０２とを備えている。保持部本体３０１は前部３３と固定部３２と結合部３５とを有し、押さえ板３０２は後部３４を有している。結合部３５は、固定部３２の長手方向に沿った端部であって、前部３３とは反対側の端部の全長にわたって設けられている。そして、結合部３５と押さえ板３０２の長手方向に沿った一端とがビスなどの結合具３０３により結合されて保持部３０が形成される。
【００２９】
図８Ａ及び図８Ｂには、建築パネル１を使用した外壁としてカーテンウォール５００を示している。カーテンウォール５００は窓部５０１とスパンドレル部５０２とを備えている。窓部５０１は建物の床部５０３と天井部５０６の間の居住スペース５０４の屋外面を構成している。窓部５０１は、例えば、ガラスパネルで構成される。スパンドレル部５０２は上下に隣り合う窓部５０１の間の部分である。スパンドレル部５０２の屋内側には、床部５０３を支持する梁５０５が設けられている。
【００３０】
スパンドレル部５０２は化粧パネル５０７と建築パネル１とを備えている。化粧パネル５０７はスパンドレル部５０２の屋外面を構成する。化粧パネル５０７は、例えば、金属製パネル、樹脂製パネル、コンクリートパネル又はガラスパネルである。建築パネル１は化粧パネル５０７の屋内側に位置し、床部５０３及び梁５０５の屋外側に位置している。したがって、耐火性の高いパネル部１０を有する建築パネル１が、床部５０３の上方（上階）の居住スペース５０４と、床部５０３の下方（下階）の居住スペース５０４との間に位置することになり、火災時に下階から上階への延焼を低減することができる。
【００３１】
カーテンウォール５００は、更に枠４２２を備える。枠４２２は、アルミニウムなどの金属製である。枠４２２は、左右一対の縦枠部材（方立）４２３と、上下一対の横枠部材（無目）４２４を備える。左右一対の縦枠部材４２３と上下一対の横枠部材４２４とは、略矩形枠状をなすように一体に設けられている。
【００３２】
カーテンウォール５００の左右一対の縦枠部材４２３のそれぞれの上端部には、ボルトなどの固定具で取付金具４２８が固定される。建物の躯体である梁には、ボルトなどの固定具で側面視Ｌ字状の取付金具４２９が固定される。カーテンウォール５００に固定された取付金具４２８は、床部５０３に固定された取付金具４２９に対して引っ掛けられた状態で、取付金具４２９に対してボルトなどの固定具４３０で固定される。これにより、カーテンウォール５００は、床部５０３に対して取り付けられる。取付金具４２８，４２９のそれぞれは、例えば、鋼製である。化粧パネル５０７の周縁部は、ガスケット４２７を介して枠４２２の屋外側の部分に保持される。
【００３３】
各縦枠部材４２３と各横枠部材４２４には、それぞれ、保持部３０が取り付けられている。保持部３０はパネル部１０の端部１１を保持し、建築パネル１を建物の下地部４０に取り付けるための部材である。したがって、枠４２２（各縦枠部材４２３と各横枠部材４２４）は下地部４０に含まれる。また保持部３０と建築パネル１とを一体化することにより建築パネルユニット１００が形成される。
【００３４】
保持部３０は、各縦枠部材４２３のそれぞれに沿って設けられる左右一対の縦保持部５０と、各横枠部材４２４のそれぞれに沿って設けられる上下一対の横保持部５１とを備える。パネル部１０の端部１１は、パネル部１０の上端部１１１と下端部１１２と一対の側端部１１３とを含む。左右一対の縦保持部５０は一対の側端部１１３をそれぞれ保持する。上下一対の横保持部５１は上端部１１１と下端部１１２とをそれぞれ保持する。すなわち、保持部３０はパネル部１０の端部１１を全周にわたって保持している。
【００３５】
保持部３０に保持されたパネル部１０の端部１１は前部３３と後部３４との間に位置している。前部３３は端部１１の前面１３と対向している。前部３３と前面１３との間には、耐火性を有するパッキン３６が設けられている。後部３４は端部１１の後面１４と対向している。後部３４と後面１４との間には、耐火性を有するパッキン３６が設けられている。したがって、端部１１はパッキン３６を介して前部３３と後部３４とで挟まれている。この場合、結合具３０３を締め付けることにより、前部３３と後部３４とで端部１１を前後方向に挟むことができる。ここで、前面１３とは、端部１１における第一本体部１７０の表面であり、後面１４とは、端部１１における第二本体部１８０の表面である。
【００３６】
（建築パネルユニット）
図９，図１０、図１１及び図１２のように、建築パネルユニット１００は、パネル部１０の端部１１が保持部３０に保持されて形成されている。建築パネルユニット１００は、パネル部１０の端部１１と保持部３０との間に膨張部２０が配置されている。すなわち、膨張部２０はパネル部１０の端面１２に設けられており、保持部３０がパネル部１０の全周にわたって設けられているため、膨張部２０はパネル部１０の端面１２と保持部３０との間に位置する。具体的には、膨張部２０は、端面１２と保持部３０の固定部３２との間に配置されている。すなわち、端面１２と固定部３２とは間隙１０２をあけて対向しており、この間隙１０２に膨張部２０が設けられている。
【００３７】
このような建築パネルユニット１００は、火災時に加熱されると、その熱で膨張部２０が膨張する。例えば、火災時に発生した火炎がパネル部１０や保持部３０に当たると、火炎による熱が膨張部２０にまで伝わり、その熱で膨張部２０が膨張する。膨張部２０の上面膨張部２１はパネル部１０の上端面１２１から上方に向かって膨張する。膨張部２０の下面膨張部２２はパネル部１０の下端面１２２から下方に向かって膨張する。膨張部２０の側面膨張部２３はパネル部１０の側端面１２３から外側方に向かって膨張する。
【００３８】
このように膨張部２０が膨張すると、間隙１０２が閉塞される。すなわち、間隙１０２が膨張後の膨張部２０で充満されて閉塞される。そして、間隙１０２が閉塞されると、火炎、煙及び熱が間隙１０２を通過しにくくなる。したがって、カーテンウォール５００の耐火性が向上する。すなわち、膨張部２０がない場合は、火災が発生すると、火炎、煙及び熱が間隙１０２を通過しながらカーテンウォール５００の内部を上昇し、延焼しやすい。一方、本実施形態のように、間隙１０２が膨張後の膨張部２０で閉塞されると、火炎、煙及び熱が間隙１０２を通過しにくくなり、延焼が抑えられる。『特に、建物の屋外で発生した火災』では、火炎、煙及び熱が間隙１０２を通過しにくくなって屋内に侵入しにくくなる。もちろん、建物の屋内で発生した火災では、火炎、煙及び熱が間隙１０２を通過しにくくなって屋外に延焼しにくくなる。つまり、火災が発生すると、火災発生側の面（加熱側）のパネル部１０の表面及び保持部３０の温度が上昇し、変形が生じる。この変形により、パネル部１０の表面と保持部３０に隙間が生じ、この隙間を通じて火炎、煙、熱が非加熱側に侵入しやすくなる。そして、火災発生からの時間の経過と共に、非加熱側にも熱が伝わり、非加熱側のパネル部１０の表面と保持部３０に隙間が発生し、非加熱側にも火炎及び熱が伝わる。そこで、本実施形態に係る建築パネルユニット１００では、火災時に間隙１０２が、火災の熱で膨張した膨張部２０で閉塞されることになり、非加熱側へ熱が伝わりにくくなる。これは建築パネルユニット１００の四周すべてに共通する。
【００３９】
（保持部の変形例）
図７Ｂは保持部３０の変形例である保持部３０Ｘを示す。保持部３０Ｘは保持部３０と同様に、アルミニウムなどの金属製の部材であって、断面コ字状で長尺に形成される。保持部３０Ｘは、上記保持部３０と同様に、前部３３、後部３４、固定部３２及び結合部３５を有し、保持部本体３０１と押さえ板３０２とを備えて形成されている。しかし、保持部３０Ｘは、保持部本体３０１が後部３４と固定部３２と結合部３５とを有し、押さえ板３０２が前部３３を有している点において、保持部３０Ｘと上記保持部３０とは異なる。結合部３５は、固定部３２の長手方向に沿った端部であって、後部３４とは反対側の端部の全長にわたって設けられている。そして、結合部３５と押さえ板３０２の長手方向に沿った一端とがビスなどの結合具３０３により結合されて保持部３０Ｘが形成される。
【００４０】
図７Ｃは保持部３０の変形例である保持部３０Ｙを示す。保持部３０Ｙは保持部３０と同様に、アルミニウムなどの金属製の部材であって、断面コ字状で長尺に形成される。保持部３０Ｙは、上記保持部３０と同様に、前部３３、後部３４、固定部３２及び結合部３５を有している。しかし、保持部本体３０１と２つの押さえ板３０２とを備えて形成されている点において、保持部３０Ｙと上記保持部３０とは異なる。保持部３０Ｙは、保持部本体３０１が固定部３２と２つの結合部３５とを有し、一つの押さえ板３０２が前部３３を有し、もう一つの押さえ板３０２が後部３４を有している。各結合部３５は、固定部３２の長手方向に沿った二つの端部のそれぞれの全長にわたって設けられている。そして、各結合部３５のそれぞれに押さえ板３０２を一つずつ配置し、各結合部３５と各押さえ板３０２の長手方向に沿った一端とがビスなどの結合具３０３により結合されて保持部３０Ｙが形成される。
【００４１】
（パネル部の変形例）
上記の建築パネル１では、一つのサンドイッチパネル６０でパネル部１０が構成されていたが、これに限られず、複数のサンドイッチパネル６０でパネル部１０が構成されていてもよい。例えば、図１４では、３つのサンドイッチパネル６０を組み合わせてパネル部１０が構成されている。３つのサンドイッチパネル６０は、パネル部１０の下部を構成する下段パネル６１０と、パネル部１０の中部を構成する中段パネル６２０と、パネル部１０の上部を構成する上段パネル６３０とを備えている。
【００４２】
図１５Ａには、下段パネル６１０を示す。図１５Ｂには、中段パネル６２０を示す。図１５Ｃには、上段パネル６３０を示す。下段パネル６１０、中段パネル６２０及び上段パネル６３０は、それぞれ、上記と同様に、第一金属外皮１７と、第二金属外皮１８と、第一金属外皮１７と第二金属外皮１８の間に位置する芯材１９とを有するサンドイッチパネル６０である。下段パネル６１０はその上端に上方に突出する上接続部６１１を有している。中段パネル６２０はその上端に上方に突出する上接続部６２１を有している。また中段パネル６２０はその下端に下方に突出する下接続部６２２を有している。上段パネル６３０はその下端に下方に突出する下接続部６３２を有している。
【００４３】
そして、下段パネル６１０の上に中段パネル６２０を接続し、この中段パネル６２０の上に更に上段パネル６３０を接続する。このとき、下段パネル６１０の上接続部６１１の後に中段パネル６２０の下接続部６２２が位置する。また中段パネル６２０の上接続部６２１の後に上段パネル６３０の下接続部６３２が位置する。
【００４４】
更に下段パネル６１０と中段パネル６２０とは連結プレート６４０で連結される。また中段パネル６２０と上段パネル６３０も別の連結プレート６４１で連結される。連結プレート６４０、６４１は金属板をプレス加工等することにより形成される。連結プレート６４０、６４１は板部６４２の上端と下端に後方に突出するフランジ部６４３を有している。また連結プレート６４０、６４１は複数の貫通孔６４４を有している。複数の貫通孔６４４は板部６４２を厚み方向に貫通している。更に、連結プレート６４０、６４１は左右一対の切欠部６４５を有している。各切欠部６４５は板部６４２の側端部にそれぞれ形成されている。一対の切欠部６４５は上下方向の位置は同じであり、板部６４２の上下方向の略中央部に位置している。
【００４５】
そして、連結プレート６４０は下段パネル６１０と中段パネル６２０との各第二金属外皮１８の表面に沿って配置され、貫通孔６４４を通してビス等の固定具を第二金属外皮１８に挿入することにより、下段パネル６１０と中段パネル６２０とが連結プレート６４０で連結される。ここで、一対の切欠部６４５を下段パネル６１０と中段パネル６２０との境界部分に位置合わせして、連結プレート６４０を配置する。これにより、連結プレート６４０は下段パネル６１０と中段パネル６２０に略均等に連結されることになる。
【００４６】
またもう一つの連結プレート６４１は中段パネル６２０と上段パネル６３０の各第二金属外皮１８の表面に沿って配置され、貫通孔６４４を通してビス等の固定具を第二金属外皮１８に挿入することにより、中段パネル６２０と上段パネル６３０とが連結プレート６４１で連結される。ここで、一対の切欠部６４５を中段パネル６２０と上段パネル６３０との境界部分に位置合わせして、連結プレート６４１を配置する。これにより、連結プレート６４１は中段パネル６２０と下段パネル６１０に略均等に連結されることになる。
【００４７】
そして、このような下段パネル６１０と中段パネル６２０と上段パネル６３０とを有するパネル部１０の端面１２に、上記と同様の膨張部２０を設けることにより、建築パネル１が形成される。またこの建築パネル１も上記と同様にして保持部３０により建物の下地部４０に取り付けられ、建築パネルユニット１００が形成される（図１６参照）。
【００４８】
なお、パネル部１０が複数のサンドイッチパネル６０を有する場合、サンドイッチパネル６０は三つに限られない。例えば、図１６Ａでは、上段パネル６３０と下段パネル６１０の二つのサンドイッチパネル６０を備えたパネル部１０を示している。また図１６Ｂでは、上段パネル６３０と下段パネル６１０と二つ中段パネル６２０の４つのサンドイッチパネル６０を備えたパネル部１０を示している。
【００４９】
（建築パネルユニットの変形例）
上記の建築パネルユニット１００では、膨張部２０はパネル部１０の端面１２に設けられていたが、これに限られない。膨張部２０はパネル部１０の端部１１と保持部３０との少なくとも一方に設けられていればよい。例えば、膨張部２０は保持部３０に設けられていてもよく、この場合、保持部３０の前部３３と後部３４と固定部３２のいずれか一つ又は複数に膨張部２０を設けることが可能である。ただし、膨張部２０は間隙１０２内に配置される。
【００５０】
また上記の建築パネルユニット１００では、建築パネル１を保持部３０で下地部４０に取り付けることにより形成されているが、これに限られず、例えば、建築パネル１に保持部３０を取り付けた後、保持部３０を下地部４０に固定するようにしてもよい。
【００５１】
なお、図１３〜図１６では、上下に隣接する複数のサンドイッチパネル６０が相じゃくりにより接続されているが、これに限らず、上下に隣接する複数のサンドイッチパネル６０が上端面と下端面とを突付けて接続されていてもよい。
【００５２】
（まとめ）
以上説明したように、第１の態様に係る建築パネル（１）は、耐火性を有するパネル部（１０）と、火災の熱で膨張する膨張部（２０）とを備える。膨張部（２０）は、パネル部（１０）の端部（１１）を保持する保持部（３０）と、保持部（３０）に保持されている端部（１１）との間に配置されるように構成されている。
【００５３】
この態様によれば、膨張部（２０）が火災の熱で膨張し、保持部（３０）と端部（１１）との間の隙間を閉塞することができ、保持部（３０）と端部（１１）との間の隙間を熱や火炎が通過するのを低減することができて耐火性の高い外壁等を形成可能である。
【００５４】
第２の態様に係る建築パネル（１）は、第１の態様において、膨張部（２０）は、パネル部（１０）の端面（１２）に沿って設けられている。
【００５５】
この態様によれば、膨張部（２０）が火災の熱で膨張し、保持部（３０）と端面（１２）との間の隙間を閉塞することができ、保持部（３０）と端面（１２）との間の隙間を熱や火炎が通過するのを低減することができて耐火性の高い外壁等を形成可能である。
【００５６】
第３の態様に係る建築パネル（１）は、第１又は２の態様において、膨張部（２０）は、２００℃以上の温度で加熱されると２倍以上１５倍以下の体積に膨張する。
【００５７】
この態様によれば、膨張部（２０）が火災の熱で膨張しやすくなり、耐火性の高い外壁等を形成しやすくなる。
【００５８】
第４の態様に係る建築パネルユニット（１００）は、耐火性を有するパネル部（１０）と、火災の熱で膨張する膨張部（２０）と、パネル部（１０）の端部（１１）を保持する保持部（３０）とを備える。膨張部（２０）は、端部（１１）と保持部（３０）との間に配置されている。
【００５９】
この態様によれば、膨張部（２０）が火災の熱で膨張し、保持部（３０）と端部（１１）との間の隙間を閉塞することができ、保持部（３０）と端部（１１）との間の隙間を熱や火炎が通過するのを低減することができて耐火性の高い外壁等を形成可能である。
【００６０】
第５の態様に係る建築パネルユニット（１００）は、第４の態様において、保持部（３０）は、端部（１１）の前面（１３）と対向する前部（３３）と、端部（１１）の後面（１４）と対向する後部（３４）と、パネル部（１０）の端面（１２）と対向する固定部（３２）とを備える。膨張部（２０）は、端面（１２）と固定部（３２）との間に配置されている。
【００６１】
この態様によれば、膨張部（２０）が火災の熱で膨張し、端面（１２）と固定部（３２）との間の隙間を閉塞することができ、端面（１２）と固定部（３２）との間の隙間を熱や火炎が通過するのを低減することができて耐火性の高い外壁等を形成可能である。
【００６２】
第６の態様に係る建築パネルユニット（１００）は、第４又は５の態様において、膨張部（２０）は、端部（１１）と保持部（３０）との少なくとも一方に設けられている。
【００６３】
この態様によれば、膨張部（２０）が火災の熱で膨張し、保持部（３０）と端部（１１）との間の隙間を閉塞することができ、保持部（３０）と端部（１１）との間の隙間を熱や火炎が通過するのを低減することができて耐火性の高い外壁等を形成可能である。
【００６４】
第７の態様に係る建築パネル（１）の取付構造は、耐火性を有するパネル部（１０）と、火災の熱で膨張する膨張部（２０）と、パネル部（１０）の端部（１１）を保持する保持部（３０）とを備える。膨張部（２０）は、端部（１１）と保持部（３０）との間に配置される。保持部（３０）は、建物の下地部（４０）に固定されている。
【００６５】
この態様によれば、膨張部（２０）が火災の熱で膨張し、保持部（３０）と端部（１１）との間の隙間を閉塞することができ、保持部（３０）と端部（１１）との間の隙間を熱や火炎が通過するのを低減することができて耐火性の高い外壁等を形成可能である。
【符号の説明】
【００６６】
１  建築パネル
１０  パネル部
１１  端部
１２  端面
１３  前面
１４  後面
２０  膨張部
３０  保持部
３２  固定部
３３  前部
３４  後部
４０  下地部
１００  パネルユニット
【図１】
2020148051.tif 000003
【図２】
2020148051.tif 000004
【図３】
2020148051.tif 000005
【図４】
2020148051.tif 000006
【図５】
2020148051.tif 000007
【図６】
2020148051.tif 000008
【図７】
2020148051.tif 000009
【図８】
2020148051.tif 000010
【図９】
2020148051.tif 000011
【図１０】
2020148051.tif 000012
【図１１】
2020148051.tif 000013
【図１２】
2020148051.tif 000014
【図１３】
2020148051.tif 000015
【図１４】
2020148051.tif 000016
【図１５】
2020148051.tif 000017
【図１６】
2020148051.tif 000018